(57)【要約】      （修正有）【課題】使用者が横になった状態で、使用者の体全体に遠赤外線を均等に照射することが可能なドーム型サウナ装置を提供する。【解決手段】ドーム型サウナ装置は、積層された平板状のシートおよびシートの層間に挿入された電熱装置を備えた下部マット１００と、下部マットと同一の積層構造を備えた上部マット２００と、下部マットの長辺に、上部マットの長辺を連結する連結手段と、連結手段を介して下部マットと上部マットとを連結した状態で、上部マットが半円筒のトンネル形状を保つように、上部マットの短辺方向に張った複数本の補強バーとを備えた。【選択図】図１
0003120454.tif 000002
【実用新案登録請求の範囲】
【請求項１】
積層された平板状のシート（１１０ａ，１１０ｂ）、および前記シートの層間に挿入された電熱装置（１２０）を備えた下部マット（１００）と、
前記下部マットと同一の積層構造を備えた上部マット（２００）と、
前記下部マットの長辺に、前記上部マットの長辺を連結する連結手段（２１０）と、
前記連結手段により前記下部マットと前記上部マットとを連結した状態で、前記上部マットが半円筒のトンネル形状を保つように、前記上部マットの短辺方向に張った複数本の補強バー（２２０）と
を備えたことを特徴とするドーム型サウナ装置。
【請求項２】
請求項１に記載のドーム型サウナ装置において、
前記トンネル形状の内側をなす前記下部マットの上面側、および前記上部マットの下面側に、麦飯石、玉石、ゲルマニウム石、絹雲母石、議王石，木化石、および雲泥石からなる群の少なくとも一種類の鉱石を粉砕して封入した放射シートを配設した
ことを特徴とするドーム型サウナ装置。
【請求項３】
請求項１に記載のドーム型サウナ装置において、
前記連結手段は、前記下部マットおよび前記上部マットを一体に連結する手段および／または着脱自在に連結する手段である
ことを特徴とするドーム型サウナ装置。
【請求項４】
請求項３に記載のドーム型サウナ装置において、
前記連結手段は、高周波溶接により前記下部マットの長辺と前記上部マットの長辺とを接合する手段である。
ことを特徴とするドーム型サウナ装置。
【請求項５】
請求項１に記載のドーム型サウナ装置において、
前記上部マットと前記下部マットとを連結したトンネル形状の両端の口を塞ぐ半円状の密閉部材（２６０ａ，２６０ｂ）が着脱自在に連結する手段によって連結され、前記密閉部材の少なくとも一方には、使用者の顔をトンネル外に出すための貫通ホールが形成される
ことを特徴とするドーム型サウナ装置。
【請求項６】
請求項３または請求項５に記載のドーム型サウナ装置において、
着脱自在に連結する前記手段は、ファスナーである
ことを特徴とするドーム型サウナ装置。
【請求項７】
請求項３または請求項５に記載のドーム型サウナ装置において、
着脱自在に連結する前記手段は、
連結部分の一方に間隔をおいて形成された回動自在な固定片を備え、
連結部分の他方に前記固定片と位置を合わせた係止穴を形成し、
前記係止穴に前記固定片を挿入した状態で、前記固定片を回動することによって前記固定片を前記係止穴に係止する手段である
ことを特徴とするドーム型サウナ装置。
【請求項８】
請求項１に記載のドーム型サウナ装置において、
前記上部マットの一部を開口する開口手段を備えた
ことを特徴とするドーム型サウナ装置。
【請求項９】
請求項８に記載のドーム型サウナ装置において、
前記開口手段は、
前記上部マットの長辺方向の前方部を分離した補助マット（２００ａ）と、前記補助マットを前記長辺方向の後方部へ移動するレール（３００ａ）およびローラー（３１０ａ）を備えて構成される
ことを特徴とするドーム型サウナ装置。
【請求項１０】
請求項８に記載のドーム型サウナ装置において、
前記開口手段は、
前記上部マットの長辺前方の片側端部から上端部までを分離した補助マット（２００ｂ）と、前記補助マット（２００ｂ）を前記上部マットに回動自在に固定するヒンジとを備えて構成される
ことを特徴とするドーム型サウナ装置。
【請求項１１】
請求項８に記載のドーム型サウナ装置において、
前記開口手段は、
前記上部マットの長辺前方の片側端部から上端部までを分離した補助マット（２００ｂ）と、前記補助マットを前記長辺後方へ移動するレールおよびローラーを備えて構成される
ことを特徴とするドーム型サウナ装置。
【請求項１２】
請求項８に記載のドーム型サウナ装置において、
前記開口手段は、
前記上部マットの長辺前方を覆い、使用者の顔をトンネル外に出すための貫通ホールを設けた軟質材からなる補助マット（２００ｃ）と、前記貫通ホールに一端が設けられて切開することによって前記貫通ホールを拡大するファスナー（３１０ｃ）とを備えて構成される
ことを特徴とするドーム型サウナ装置。
【請求項１３】
請求項９ないし請求項１１のいずれか１項に記載のドーム型サウナ装置において、
前記補助マットは、積層されたシートと、前記シートの層間に挿入された電熱装置と、前記トンネル内側に配設された放射シートと、トンネル形状を維持する補強バーとを備えて構成される
ことを特徴とするドーム型サウナ装置。
【考案の詳細な説明】
【技術分野】
【０００１】  本考案は、ドーム型（半円筒型）サウナ装置に関する。より詳細には、平板状の下部マットと、ドーム状の上部マットとから構成され、その上下面から熱および遠赤外線を放射するドーム型サウナ装置に関する。
【背景技術】
【０００２】  従来、麦飯石や紫水晶などを暖めることによって放射される遠赤外線が、人体に対して様々に有益な作用を及ぼすことが知られている。このような遠赤外線の放射を日常生活で体験できるよう、寝具用のマットに鉱石を付着させたものが知られている。このような寝具用のマットは、使用者がマットの上に横になって使用する。【０００３】  この種の温熱マットとしては、下記の特許文献１が知られている。
【特許文献１】特開２００１−３４０４２２号公報
【考案の開示】
【考案が解決しようとする課題】
【０００４】  しかしながら、このようなマットでは、マットと接触する体の側面に対して遠赤外線が主に放射される。そのため、マットと接触しない反対側の面には遠赤外線は殆ど当たらず、使用者の体全体に遠赤外線を均等に当てることができないという問題点があった。【０００５】  そのため、体全体に遠赤外線を均等に当てるためには、マットの上の使用者は一定時間おきに体の向きを変更するなどの工夫をしなければならず、使い勝手が悪いという問題点があった。
そこで、本考案では、使用者が横になった状態で、使用者の体全体に遠赤外線を均等に照射することが可能なドーム型サウナ装置を提供することを目的とする。【０００６】  また、本考案では、一定空間内に熱と遠赤外線を閉じ込めることにより、使用者の体を暖める効果を増加させたドーム型サウナ装置を提供することを目的とする。
さらに、本考案では、マットとサウナなどの多用途に使用することが可能なドーム型サウナ装置を提供することを目的とする。
【課題を解決するための手段】
【０００７】  上記目的を達成するため、本考案のドーム型サウナ装置は、積層された平板状のシート（１１０ａ，１１０ｂ）およびシートの層間に挿入された電熱装置（１２０）を備えた下部マット（１００）と、下部マットと同一の積層構造を備えた上部マット（２００）と、下部マットの長辺に、上部マットの長辺を連結する連結手段（２１０）と、連結手段を介して下部マットと上部マットとを連結した状態で、上部マットが半円筒のトンネル形状を保つように、上部マットの短辺方向に張った複数本の補強バー（２２０）とを備えたことを特徴とする。【０００８】  なお好ましくは、トンネル形状の内側に該当する下部マットの上面側、および上部マットの下面側に、麦飯石、玉石、ゲルマニウム石、絹雲母石、議王石，木化石、および雲泥石からなる群の少なくとも一種類の鉱石を粉砕して封入した放射シートを配設する。
また好ましくは、連結手段を、一体に連結された手段および／または着脱自在に連結する手段として構成する。【０００９】  なお好ましくは、連結手段を、高周波溶接により下部マットの長辺と上部マットの長辺とを接合する手段として構成する。
また好ましくは、上部マットと下部マットとを連結したドーム形状の両端の口を塞ぐ半円状の密閉部材（２６０ａ，２６０ｂ）が『着脱自在に連結する手段』によって連結され、密閉部材の少なくとも一方には、使用者の顔をトンネル外に出すための貫通ホールを形成する。【００１０】  なお好ましくは、着脱自在に連結する手段を、ファスナーにより構成する。
また好ましくは、着脱自在に連結する手段を、連結部分の一方に間隔をおいて設けた回動自在な固定片と、連結部分の他方に固定片に位置を合わせて形成された係止穴とから構成する。この場合、係止穴に固定片を挿入した状態で、固定片を回動することによって固定片を係止穴に係止する。【００１１】  なお好ましくは、上部マットの一部を開口する開口手段を備える。
また好ましくは、開口手段を、上部マットの長辺方向の前方部を分離した補助マット（２００ａ）と、補助マットを長辺方向の後方部へ移動するレール（３００ａ）およびローラー（３１０ａ）を備えて構成する。
なお好ましくは、開口手段を、上部マットの長辺前方の片側端部から上端部までを分離した補助マット（２００ｂ）と、補助マット（２００ｂ）を上部マットに回動自在に固定するヒンジとを備えて構成する。【００１２】  また好ましくは、開口手段を、上部マットの長辺前方の片側端部から上端部までを分離した補助マット（２００ｂ）と、補助マットを長辺後方へ移動するレールおよびローラーを備えて構成する。
なお好ましくは、開口手段を、上部マットの長辺前方を覆い、使用者の顔をトンネル外に出すための貫通ホールを設けた軟質材からなる補助マット（２００ｃ）と、貫通ホールに一端が設けられて切開することによって貫通ホールを拡大するファスナー（３１０ｃ）とを備えて構成する。
また好ましくは、補助マットを、積層されたシートと、シートの層間に挿入された電熱装置と、トンネル内側に配設された放射シートと、トンネル形状を維持する補強バーとを備えて構成する。
【考案の効果】
【００１３】  このように本考案によれば、ドーム内の限られた空間に熱および遠赤外線を放射するので、使用者の発汗作用を効率的に促すことが可能なドーム型サウナ装置が実現する。
特に、種々の鉱石を粒状に封入した放射体シートをドーム内に配設した場合には、ドーム内における遠赤外線の放射を更に強めることができる。この遠赤外線は、使用者の体を芯から暖め、健康な人であれば４０分程度の間に約１．０〜１．５Ｌ程度の発汗を促すことができる。このときの汗には、普通の汗以外、皮脂腺やエクリン腺からの排泄物が大量に含まれる。その結果、特に重金属などの有害老廃物を体外に効率良く排泄することが可能になる。【００１４】  さらに、上部マットが半円状のドームを形成するため、このドーム部分から放射される熱および遠赤外線は、下部マット１００に横たわる使用者の体の上面に焦点を結ぶように集中する。そのため、下部マット１００に直接接触する体の下面のみならず、上面までも効率的に暖めることが可能になる。したがって、使用者の体全体をまんべんなく暖め、体全体からの発汗作用を効率的に促すことが可能になる。【００１５】  また、上部マットは、下部マットと連結した状態で補強バーの撓りによって半円状のドームを形成する。そのため、上部マット単体では、平板状のマットとして使用することが可能になる。したがって、ドーム型サウナ装置から、上部マットと下部マットとを敷き詰めた大面積のマット型サウナ装置に形態を変えることも可能になる。
【考案を実施するための最良の形態】
【００１６】  以下、添付する図面に基づいて、本考案にかかる実施形態を説明する。
図１ないし図５に示すように、本実施形態は、下部マット１００と、その下部マット１００の上面にドーム形状をなすように連結される上部マット２００とから構成される。
この下部マット１００は、平板状のシート１１０ａ，１１０ｂと、その層間に内蔵される電熱装置１２０と、下部マット１００の上面に配設される放射体シート１３０とから構成される。
この電熱装置１２０は、一定形状に配列される発熱線１２０ａと、その発熱線１２０ａに連結されて外部電源の供給をうける電源端子１２０ｂとから構成される。【００１７】  放射体シート１３０は、内側に一定収納空間１３０ａが形成され、そのシート体１３０ｂの内側には、麦飯石、玉石、ゲルマニウム、絹雲母石、議王石，木化石、雲泥石などのグループから選択された１〜７種類以上の材料を０．３〜１．２ｍｍ程度の粒状に粉砕した放射体１３０ｃが１５ｋｇ程度封入される。
この放射体シート１３０は、シート体１３０ｂの上面にウレタンをコーティングすることが好ましい。このウレタンにより、使用者の汗等による汚染を防ぐことができる。さらに、放射体シート１３０の表面に、凹凸形状の突出を設けてもよい。また、放射体シート１３０は、下部マット１００および上部マット２００の内層に挿入されてもよい。【００１８】  一方、上部マット２００は、下部マット１００の長辺に一体型構造２１０ａまたは分離型構造２１０ｂを有する連結手段２１０を通じて連結されることによりドーム形状（トンネル形状）をなす。この上部マット２００は、下部マット１００と同一積層構造を有し、短辺方向を半円状に撓んで支える補強バー２２０を長辺方向に間隔を空けて内蔵する。【００１９】  図３に示す一体型構造２１０ａは、下部マット１００の長辺に上部マット２００の長辺を高周波溶接によって連結して構成される。
さらに、図４に示す分離型構造２１０ｂは、下部マット１００の長辺に、上部マット２００の長辺をファスナーで連結して構成される。
また、図５に示す分離型構造２１０ｂは、下部マット１００の長辺に形成される多数の固定片と、上部マット２００の長辺に形成される係止穴とから構成される。この分離型構造２１０ｂは、固定片を係止穴に挿入／回転することによって、下部マット１００と上部マット２００を分離自在に連結する。【００２０】  なお、本実施形態では、図示しないが、連結手段２１０を、長辺の一方を高周波溶接により連結し、かつ長辺の他方をファスナーや固定片により連結するような複合構成としてもよい。
また、図５に示すように、連結箇所の内側に、外気流入や内気放出を防ぐように、シーリング部材２９０とマジックテープ（登録商標）を設置してもよい。【００２１】  さらに、図５に示すように、下部マット１００の短辺に密閉部材２６０ａ，２６０ｂが設けられる。この密閉部材２６０ａ，２６０ｂは、トンネル出口を塞ぐように、分離型構造（ファスナーなど）を介して上部マット２００に連結される。この内、一方の密閉部材２６０ａには、使用者の首をトンネル外に出すための貫通穴を形成される。【００２２】  一方、図６に示すように、下部マット１００および上部マット２００がドーム形状に連結される際に、上部マット２００の長辺方向の前方部が開口できるように開口手段３１０が設けられる。この開口手段３１０は、上部マット２００の長辺方向の前方部を切開した形状に形成された補助マット２００ａと、下部マット１００の長辺に設置されたレール３００ａと、補助マット２００ａに設けられてレール３００ａに沿って摺動するローラー３１０ａとから構成される。【００２３】  また、図７に示すように、開口手段３１０を、上部マット２００の前方部の片側端部から上端部までを切開した形状に形成した補助マット２００ｂと、補助マット２００ｂを開口するヒンジとから構成してもよい。
さらに、図８に示すように、開口手段３１０を、上部マット２００の前方部の片側端部から上端部までを切開した形状に形成した補助マット２００ｂと、補助マット２００ｂを上部マット２００を覆うように移動させるローラー３１０ａと、これに対応するように上部マット２００に形成されるレール３００ａとから構成してもよい。【００２４】  また、図９に示すように、開口手段３１０を、上部マット２００の前方部を覆うように形成される軟質材の補助マット２００ｃと、補助マット２００ｃの上端部から貫通穴までを連結するファスナー３１０ｃとから構成してもよい。
なお、上述した補助マット２００ａ，２００ｃを、上部マット２００と同一積層構造により形成してもよい。また、補助マット２００ｂの両側端部は、着脱自在に連結する分離型構造２１０ｂにより連結してもよい。【００２５】  以下、上述した構成を有する本実施形態の作用について説明する。
図１ないし図４に示すように、上部マット２００の短辺は、下部マット１００の短辺よりも長く形成される。この上部マット２００には、短辺方向に張った補強バー２２０が複数設けられる。これら両マットの長辺を連結することによって、上部マット２００がドーム形状となる。このとき、補強バー２２０の自然なしなりによって、重量物である上部マット２００の円弧形状が安定に保たれる。【００２６】  この状態で、下部マット１００および上部マット２００の電源端子１２０ｂを介して電源電力が供給されると、両マットの内層に設けられる電熱装置１２０が発熱する。この電熱装置１２０は、シート１１０ａ，１１０ｂの層間に配列される発熱線１２０ａを用いて、マット全体を均一に発熱させる。
このように電熱装置１２０が発熱することにより、ドーム内面に配設された放射体シート１３０に熱が伝達される。この放射体シート１３０は、シート体１３０ｂの内側に、一定の粒度に粉砕された放射体１３０ｃの粒子を充填して構成される。これらの放射体１３０ｃの各粒子は細かいため、加熱されることにより遠赤外線を均等に効率良く放射する。【００２７】  一方、電熱装置１２０から放射される電磁波は、放射体１３０ｃが間に介在することにより、大幅に抑制することができる。その結果、ドイツのＷ．Ｂ．ＬＥＥ社の電磁波測定器による測定結果では、放射体シート１３０の表面において電磁波が測定限界以下であった。
また、下部マット１００と上部マット２００の連結部には、シーリング部材２９０が設けられる。また、ドーム形状の両端の口には、半円状の密閉部材２６０ａ，２６０ｂが設けられる。この密閉部材２６０ａには貫通穴が設けられ、使用者はこの貫通穴から頭部をドーム外にだす。このとき、貫通穴は使用者の頸部によって塞がれる。【００２８】  このようにドーム内部は、シーリング部材２９０および密閉部材２６０ａ，２６０ｂによって適度に密閉されるため、ドーム内で熱せられた空気を閉じこめることが可能になり、ドーム内の温度を効率的に短時間に高めることが可能になる。
一方、図６に示す構成では、全長の１／３程度の補助マット２００ａが、上部マット２００の上にかぶさるようにスライドし、ドーム部分の奥行きが短縮する。通常、奥行きの長いドーム型サウナ装置では、使用者が横になった状態で体をずらしながら、ドーム形状の奥まで入らなければならず、使用者は無理な動作を強いられる。しかしながら、図６に示す構成では、ドーム部分の奥行きが短縮されるので、使用者は無理なくドーム内に体を挿入することが可能になる。このように使用者が横たわった後、使用者自身または補助者が、補助マット２００ａを元の位置までスライドすることにより、通常のドーム型サウナ装置の使用形態に戻る。【００２９】  また、図７および図８に示す構成では、補助マット２００ａ，２００ｂをヒンジなどを介して開口することにより、上部マット２００の長辺前方の片側を大きく開くことができる。この形態においても、使用者は無理なくドーム内に体を挿入することができる。このようにして使用者が横たわった後、使用者自身または補助者が、補助マット２００ａ，２００ｂを元の位置まで閉じることにより、通常のドーム型サウナ装置の使用形態に戻る。【００３０】  なお、図６，図７，および図８に示す補助マット２００ａ，２００ｂは、上部マット２００と同一積層構造を有する。そのため、上部マット２００と同様に、補助マット２００ａ，２００ｂも熱および遠赤外線をドーム内に放射する。
さらに、図９に示す構成では、ソフトな材質の補助マット２００ｃに、中央ラインを貫通穴まで切開するファスナー３１０ｃを設ける。このファスナー３１０ｃを開くことにより、貫通穴が大きく開くため、使用者は無理なくドーム内に体を挿入することが可能になる。このように使用者が横たわった後、使用者自身または補助者が、ファスナー３１０ｃを閉じることにより、通常のドーム型サウナ装置の使用形態に戻る。
なお、ここでは特定の実施形態について説明した。しかしながら、特許請求の範囲に記載される本考案の精神や分野から外れない実施の形態は、すべて本考案の範囲内である。
【産業上の利用可能性】
【００３１】  以上説明したように、本考案は、ドーム型サウナ装置などに利用可能な技術である。
【図面の簡単な説明】
【００３２】
【図１】本考案によるサウナ装置を示した図である。
【図２】本考案によるサウナ装置の要部断面図である。
【図３】本考案の別の実施形態によるサウナ装置の展開図である。
【図４】本考案の別の実施形態によるサウナ装置を示した図である。
【図５】本考案の別の実施形態によるサウナ装置を示した図である。
【図６】本考案の別の実施形態によるサウナ装置を示した図である。
【図７】本考案の別の実施形態によるサウナ装置を示した図である。
【図８】本考案の別の実施形態によるサウナ装置を示した図である。
【図９】本考案の別の実施形態によるサウナ装置を示した図である。
【符号の説明】
【００３３】１００…下部マット，１２０…電熱装置，１３０…放射体シート，２００…上部マット，２２０…補強バー，２６０ａ…密閉部材
【図１】
0003120454.tif 000003
【図２】
0003120454.tif 000004
【図３】
0003120454.tif 000005
【図４】
0003120454.tif 000006
【図５】
0003120454.tif 000007
【図６】
0003120454.tif 000008
【図７】
0003120454.tif 000009
【図８】
0003120454.tif 000010
【図９】
0003120454.tif 000011